(57)【特許請求の範囲】
【請求項１】
ユーザの情報端末装置により撮影された商品またはサービスの撮影データに基づいてユーザの関心を推定するユーザ関心推定システムであって、
ユーザの関心を推定する推定装置と、
前記推定装置に通信可能な状態で接続され、時間および／または位置に関連付けられた地理または空間に関するコンテキスト情報を記憶するコンテキスト情報データベースと、
前記推定装置に通信可能な状態で接続され、時間および／または位置に関連付けられた商品またはサービスに関するオブジェクト情報を記憶するオブジェクト情報データベースと、
前記推定装置に通信可能な状態で接続され、ユーザの関心情報を記憶する関心情報データベースと、
前記関心情報データベースに通信可能な状態に接続された情報配信装置とを備え、
前記推定装置は、
前記ユーザの情報端末装置からネットワークを介して送信されてきた商品またはサービスに関する撮影データを受け付ける撮影データ受付部と、
前記コンテキスト情報データベースを参照することにより、前記撮影データ受付部により受け付けられた撮影データに含まれる時間および／または位置に関連する地理または空間に関するコンテキスト情報を取得するコンテキスト情報取得部と、
前記オブジェクト情報データベースを参照することにより、前記撮影データ受付部により受け付けられた撮影データに含まれる時間および／または位置に関連する商品またはサービスに関するオブジェクト情報を取得するオブジェクト情報取得部と、
前記コンテキスト情報取得部により取得されたコンテキスト情報と、前記オブジェクト情報取得部により取得されたオブジェクト情報とを互いに関連付けることによりユーザの関心情報を生成する関心情報生成部とを有し、
前記情報配信装置は、
所定のサーバ装置から広告等の所定の情報を受け付ける情報受付部と、
前記情報受付部により受け付けられた所定の情報から、地理または空間に関するコンテキスト情報を取得する第２コンテキスト情報取得部と、
前記情報受付部により受け付けられた所定の情報から、商品またはサービスに関するオブジェクト情報を取得する第２オブジェクト情報取得部と、
前記関心情報データベースを参照することにより、第２コンテキスト情報取得部により取得されたコンテキスト情報と、第２オブジェクト情報取得部により取得されたオブジェクト情報と全部または一部が一致する関心情報を有するユーザを選定するユーザ選定部と、
前記ユーザ選定部により選定されたユーザの情報端末装置に対して、前記情報受付部により受け付けられた所定の情報を配信する情報配信部とを備えることを特徴とするユーザ関心推定システム。
【請求項２】
前記コンテキスト情報データベースは、地図データベース、気象データベースまたは交通データベースの少なくとも一つを含む複数のデータベースからなる請求項１に記載のユーザ関心推定システム。
【請求項３】
前記オブジェクト情報データベースは、イベントデータベース、ニュースデータベース、店舗データベースまたは施設データベースの少なくとも一つを含む複数のデータベースからなる請求項１または請求項２に記載のユーザ関心推定システム。
【請求項４】
前記関心情報生成部は、前記撮影データ受付部により受け付けられた撮影データをコンテキスト情報とオブジェクト情報に関連付けて関心情報に含める請求項１から請求項３のいずれかに記載のユーザ関心推定システム。
【請求項５】
ユーザの情報端末装置により撮影された撮影データにおいて人物に関する画像が中心であるか否か判定する人物画像判定部を備え、
前記コンテキスト情報取得部および前記オブジェクト情報取得部は、前記人物画像判定部により撮影データにおいて人物に関する画像が中心であると判定された場合、コンテキスト情報およびオブジェクト情報を取得しない請求項１から請求項４のいずれかに記載のユーザ関心推定システム。
【請求項６】
前記情報配信部は、前記ユーザ選定部がユーザを選定する際に参照したユーザの関心情報を関連付けた状態で所定の情報を配信する請求項１に記載のユーザ関心推定システム。
【請求項７】
ユーザの情報端末装置にネットワークを介して通信可能な状態で接続された第３コンテキスト情報取得部を備え、
前記第３コンテキスト情報取得部は、前記コンテキスト情報データベースを参照することにより、ユーザの情報端末装置における現在の時間および位置に関連する地理または空間に関するコンテキスト情報を取得して、
ユーザの情報端末装置は、情報配信装置から送信されてきた所定の情報が複数存在する場合、第３コンテキスト情報取得部により取得されたコンテキスト情報に全部または一部が一致するユーザの関心情報が関連付けられた所定の情報を優先して表示する請求項６に記載のユーザ関心推定システム。
【請求項８】
ユーザの情報端末装置は、情報配信装置から送信されてきた所定の情報が複数存在する場合、より多くのユーザの関心情報が関連付けられた所定の情報を優先して表示する請求項６または請求項７に記載のユーザ関心推定システム。
【発明の詳細な説明】
【技術分野】
【０００１】
本発明は、ユーザの情報端末装置により撮影された商品またはサービスの撮影データに基づいてユーザの関心を推定するユーザ関心推定システムと、該ユーザ関心推定システムに関連して用いられる情報配信システムに関するものである。
【背景技術】
【０００２】
近年、インターネットや通信機器の発展および普及に伴って、多くのユーザが携帯電話機、スマートフォンあるいはタブレット端末等の情報端末装置を所有しており、様々な場所において情報端末装置により商品またはサービスを撮影することが行われている。
【０００３】
これらユーザの情報端末装置により撮影された商品またはサービスは、当該ユーザにとって関心のあるものである場合が多いため、撮影データに基づいて商品またはサービスを特定する画像分析技術も数多く開示されている（例えば、特許文献１〜６参照）。
【０００４】
特に、最近では、これらユーザの情報端末装置により撮影された撮影データには、時間に関する情報の他、ＧＰＳ機能等を使用して位置に関する情報が記録されるようにもなってきており、画像を分析するに際して時間や位置に関する情報も利用されることもある。
【０００５】
このようにユーザが情報端末装置により撮影した商品またはサービスを特定することにより、個々のユーザの関心を推定することができれば、ユーザの情報端末装置に対する広告等の情報配信等にも有用であると考えられる。
【先行技術文献】
【特許文献】
【０００６】
【特許文献１】特開２０１５−７８８４号公報
【特許文献２】特表２０１１−５２５００２号公報
【特許文献３】特開２０１０−２８６９６０号公報
【特許文献４】特開２０１０−４４５８０号公報
【特許文献５】特開２００８−２４４６６０号公報
【特許文献６】特開２００６−２０９４９２号公報
【発明の概要】
【発明が解決しようとする課題】
【０００７】
しかしながら、従来、ユーザが撮影した商品またはサービスそのものを画像分析技術により特定するのみであり、その他のユーザを取り巻く環境を全く考慮していないため、ユーザの関心を精度良く推定することは難しく、各ユーザに対応しながら広告等の所定の情報を効率的に配信することができないという問題があった。
【０００８】
本発明は、上述の問題に鑑みてなされたものであり、ユーザの関心を精度良く推定することができ、ひいては各ユーザに対応しながら広告等の所定の情報を配信することが可能なユーザ関心推定システムと情報配信システムを提供することを目的とする。
【課題を解決するための手段】
【０００９】
本発明は、上記目的を達成するために、ユーザの情報端末装置により撮影された商品またはサービスの撮影データに基づいてユーザの関心を推定するユーザ関心推定システムであって、ユーザの関心を推定する推定装置と、前記推定装置に通信可能な状態で接続され、時間および／または位置に関連付けられた地理または空間に関するコンテキスト情報を記憶するコンテキスト情報データベースと、前記推定装置に通信可能な状態で接続され、時間および／または位置に関連付けられた商品またはサービスに関するオブジェクト情報を記憶するオブジェクト情報データベースと、前記推定装置に通信可能な状態で接続され、ユーザの関心情報を記憶する関心情報データベースとを備える。そして、前記推定装置は、前記ユーザの情報端末装置からネットワークを介して送信されてきた商品またはサービスに関する撮影データを受け付ける撮影データ受付部と、前記コンテキスト情報データベースを参照することにより、前記撮影データ受付部により受け付けられた撮影データに含まれる時間および／または位置に関連する地理または空間に関するコンテキスト情報を取得するコンテキスト情報取得部と、前記オブジェクト情報データベースを参照することにより、前記撮影データ受付部により受け付けられた撮影データに含まれる時間および／または位置に関連する商品またはサービスに関するオブジェクト情報を取得するオブジェクト情報取得部と、前記コンテキスト情報取得部により取得されたコンテキスト情報と、前記オブジェクト情報取得部により取得されたオブジェクト情報とを互いに関連付けることによりユーザの関心情報を生成する関心情報生成部とを有することを特徴とする。
【００１０】
前記コンテキスト情報データベースは、地図データベース、気象データベースまたは交通データベースの少なくとも一つを含む複数のデータベースからなるものであってもよい。
【００１１】
前記オブジェクト情報データベースは、イベントデータベース、ニュースデータベース、店舗データベースまたは施設データベースの少なくとも一つを含む複数のデータベースからなるものであってもよい。
【００１２】
前記関心情報生成部は、前記撮影データ受付部により受け付けられた撮影データをコンテキスト情報とオブジェクト情報に関連付けて関心情報に含めてもよい。
【００１３】
ユーザの情報端末装置により撮影された撮影データにおいて人物に関する画像が中心であるか否か判定する人物画像判定部を備え、前記コンテキスト情報取得部および前記オブジェクト情報取得部は、前記人物画像判定部により撮影データにおいて人物に関する画像が中心であると判定された場合、コンテキスト情報およびオブジェクト情報を取得しないものとしてもよい。
【００１４】
本発明に係る情報配信システムは、請求項１から請求項５に記載のユーザ関心推定システムにおける関心情報データベースと、前記関心情報データベースに通信可能な状態に接続された情報配信装置とを備える情報配信システムである。そして、前記情報配信装置は、所定のサーバ装置から広告等の所定の情報を受け付ける情報受付部と、前記情報受付部により受け付けられた所定の情報から、地理または空間に関するコンテキスト情報を取得する第２コンテキスト情報取得部と、前記情報受付部により受け付けられた所定の情報から、商品またはサービスに関するオブジェクト情報を取得する第２オブジェクト情報取得部と、前記関心情報データベースを参照することにより、第２コンテキスト情報取得部により取得されたコンテキスト情報と、第２オブジェクト情報取得部により取得されたオブジェクト情報と全部または一部が一致する関心情報を有するユーザを選定するユーザ選定部と、前記ユーザ選定部により選定されたユーザの情報端末装置に対して、前記情報受付部により受け付けられた所定の情報を配信することを特徴とする。
【００１５】
また、前記情報配信部は、前記ユーザ選定部がユーザを選定する際に参照したユーザの関心情報を関連付けた状態で所定の情報を配信してもよい。
【００１６】
また、ユーザの情報端末装置にネットワークを介して通信可能な状態で接続された第３コンテキスト情報取得部を備え、前記第３コンテキスト情報取得部は、前記コンテキスト情報データベースを参照することにより、ユーザの情報端末装置における現在の時間および位置に関連する地理または空間に関するコンテキスト情報を取得して、ユーザの情報端末装置は、情報配信装置から送信されてきた所定の情報が複数存在する場合、第３コンテキスト情報取得部により取得されたコンテキスト情報に全部または一部が一致するユーザの関心情報が関連付けられた所定の情報を優先して表示してもよい。
【００１７】
また、ユーザの情報端末装置は、情報配信装置から送信されてきた所定の情報が複数存在する場合、より多くのユーザの関心情報が関連付けられた所定の情報を優先して表示してもよい。
【発明の効果】
【００１８】
本発明によれば、ユーザが商品またはサービスを撮影するたびに、該ユーザが関心を持った商品またはサービスに関するオブジェクト情報が、ユーザを取り巻く地理または空間に関するコンテキスト情報に関連付けられた状態で関心情報データベースに蓄積される。このため関心情報データベースを参照することにより、各ユーザの関心を精度良く推定することができ、ひいては各ユーザに対応しながら広告等の所定の情報を配信することが可能となる。
【図面の簡単な説明】
【００１９】
【図１】ユーザ関心推定システムの全体構成を示す図である。
【図２】推定装置の構成を示す図である。
【図３】他の実施形態に係る推定装置の構成を示す図である。
【図４】ユーザ関心推定システムの動作を示すフローチャートである。
【図５】情報配信システムの全体構成を示す図である。
【図６】情報配信装置の構成を示す図である。
【図７】他の実施形態に係る情報配信装置の構成を示す図である。
【図８】情報配信システムの動作を示すフローチャートである。
【発明を実施するための形態】
【００２０】
＜第１の実施形態＞
次に、本発明に係るユーザ関心推定システムの実施形態について図１〜図４を参照しつつ説明する。
【００２１】
[全体構成]
図１は、ユーザ関心推定システムの全体構成を示す図である。
【００２２】
このユーザ関心推定システムは、ユーザＵの情報端末装置１と、ユーザＵの関心を推定する推定装置２と、コンテキスト情報を記憶するコンテキスト情報データベース３と、オブジェクト情報を記憶するオブジェクト情報データベース４と、ユーザＵの関心情報を記憶する関心情報データベース５とを備える。
【００２３】
これらユーザＵの情報端末装置１と推定装置２は、インターネット等のネットワークを介して通信可能な状態で接続される。また、推定装置２と各データベース３、４、５とは、直接的にまたはネットワークを介して通信可能な状態で接続されている。
【００２４】
前記ユーザＵの情報端末装置１は、例えば携帯電話機、スマートフォン、タブレット端末、ナビゲーション装置、ＰＣ端末、腕時計型・腕輪型・眼鏡型のウェアラブル端末等が挙げられる。このユーザＵの情報端末装置１は、商品またはサービスに関する情報を撮影するカメラ等の撮影機能を有するとともに、内蔵の時計機能またはネットワークを介して時間に関する情報を取得したり、内蔵のＧＰＳ機能等により情報端末装置１の位置に関する情報を取得する。
【００２５】
而して、ユーザＵの情報端末装置１は、撮影機能により商品またはサービスを静止画または動画で撮影すると、上述の内蔵の時計機能やＧＰＳ機能を利用して撮影時の時間と位置に関する情報を取得して、撮影データに撮影時の時間および位置に関する情報を含ませて内蔵の記憶部に記憶する。この商品またはサービスに関する撮影データは、撮影時の時間および位置に関する情報を含んだ状態でネットワークを介して推定装置２に送信される。
【００２６】
なお、この商品またはサービスとは、有償または無償に関わらず、ユーザＵの情報端末装置１により撮影され得る全てのものが対象となる。
【００２７】
また、時間に関する情報とは、年、季節、月、日、時間、分または秒等の一つまたは複数の組み合わせからなる情報をいう。
【００２８】
また、位置に関する情報とは、国、都道府県、市町村等の行政区画に関する情報に限定されるものではなく、建物名、部屋番号、部屋の中の所定位置に関する情報等であってもよい。特に行政区画や建物名等は上述のＧＰＳ機能により取得可能であるが、部屋番号や部屋の中の所定位置等はその他の装置やセンサにより取得することが考えられる。
【００２９】
また、ユーザＵの情報端末装置１の各機能は、内部の記憶装置にインストールされたコンピュータプログラムが実行されることによって機能する。このコンピュータプログラムは、情報端末装置１にあらかじめ設けられていてもよいし、所定のサーバや記憶媒体からダウンロードしてもよい。
【００３０】
前記推定装置２は、ユーザＵの情報端末装置１により撮影された商品またはサービスの撮影データに基づいてユーザＵの関心を推定するものである。この推定装置２の具体的な構成や動作については後述することとする。
【００３１】
前記コンテキスト情報データベース３は、時間および位置に関連付けられた地理または空間に関するコンテキスト情報を記憶するものであり、本実施形態では複数種類のコンテキスト情報データベースからなる。例えば、コンテキスト情報として、時間および／または位置に関連付けられた地名情報や住所情報（地図データベース）、時間および／または位置に関連付けられた季節情報、天気情報、日照量情報、雨量情報、温度情報、湿度情報、あるいは風速情報（気象データベース）、時間および／または位置に関連付けられた道路情報や事故情報（交通データベース）等が挙げられる。
【００３２】
前記オブジェクト情報データベース４は、時間および／または位置に関連付けられた商品またはサービスに関するオブジェクト情報を記憶するものであり、本実施形態では複数種類のオブジェクトデータベースからなる。例えば、オブジェクト情報として、時間および／または位置に関連付けられたイベント情報（イベントデータベース）、時間および／または位置に関連付けられたニュース情報（ニュースデータベース）、時間および／または位置に関連付けられた店舗情報（店舗データベース）、時間および／または位置に関連付けられた施設情報（施設データベース）等が挙げられる。
【００３３】
[推定装置２の構成]
前記推定装置２は、図２に示すように、撮影データ受付部２１と、該撮影データ受付部２１の一方の出力側に設けられたコンテキスト情報取得部２２と、同じく撮影データ受付部２１の他方の出力側に設けられたオブジェクト情報取得部２３と、コンテキスト情報取得部２２とオブジェクト情報取得部２３の出力側に設けられた関心情報生成部２４とを備える。
【００３４】
前記撮影データ受付部２１は、ユーザＵの情報端末装置１から商品またはサービスの撮影データをネットワークを介して受信して受け付ける。この商品またはサービスの撮影データは、ユーザＵの情報端末装置１による撮影時の時間および位置に関する情報が含まれている。
【００３５】
前記コンテキスト情報取得部２２は、コンテキスト情報データベース３を参照することにより、撮影データ受付部２１により受け付けられた撮影データに含まれる時間および／または位置に関連する地理または空間に関するコンテキスト情報を取得する。なお、このコンテキスト情報取得部２２によるコンテキスト情報の取得については、後の実施例において詳述する。
【００３６】
前記オブジェクト情報取得部２３は、オブジェクト情報データベース４を参照することにより、撮影データ受付部２１により受け付けられた撮影データに含まれる時間および／または位置に関連する商品またはサービスに関するオブジェクト情報を取得する。このとき、オブジェクト情報取得部２３は、撮影データの画像分析技術を利用することにより、オブジェクト情報の取得の精度を高めるものとしてもよい。なお、このオブジェクト情報取得部２３によるオブジェクト情報の取得については、後の実施例において詳述する。
【００３７】
前記関心情報生成部２４は、コンテキスト情報取得部２２により取得されたコンテキスト情報と、オブジェクト情報取得部２３により取得されたオブジェクト情報とを互いに関連付けることによりユーザＵの関心情報を生成したあと、関心情報データベース５に記憶せしめる。このとき、前記関心情報生成部２４は、撮影データ受付部２１により受け付けられた撮影データをコンテキスト情報とオブジェクト情報に関連付けて関心情報に含めてもよい。なお、この関心情報生成部２４による関心情報の生成については、後の実施例において詳述する。
【００３８】
[ユーザ関心推定システムの動作]
次に、ユーザ関心推定システムの動作について、図４に示すフローチャートを参照しつつ説明する。なお、以下の説明において、「ＳＴＥＰ（ステップ）」を「Ｓ」と略記する。
【００３９】
なお、ユーザＵの情報端末装置１は、撮影機能により商品またはサービスを静止画または動画で撮影しており、上述の内蔵の時計機能やＧＰＳ機能を利用して撮影時の時間と位置に関する情報を取得して、撮影データに撮影時の時間および位置に関する情報を含ませて内蔵の記憶部に記憶しているものとする。
【００４０】
まず、前記撮影データ受付部２１は、ユーザＵの情報端末装置１から商品またはサービスの撮影データをネットワークを介して受信して受け付ける（Ｓ１）。この撮影データ受付部２１による撮影データの受け付けに際しては、ユーザＵの情報端末装置１から撮影データが自動的に送信されてもよいし、あるいはユーザＵの操作により送信されてもよい。
【００４１】
次に、前記コンテキスト情報取得部２２は、コンテキスト情報データベース３を参照することにより、撮影データ受付部２１により受け付けられた撮影データに含まれる時間および／または位置に関連する地理または空間に関するコンテキスト情報を取得する（Ｓ２）。
【００４２】
一方、前記オブジェクト情報取得部２３は、オブジェクト情報データベース４を参照することにより、撮影データ受付部２１により受け付けられた撮影データに含まれる時間および／または位置に関連する商品またはサービスに関するオブジェクト情報を取得する（Ｓ３）。なお、オブジェクト情報取得部２３によるオブジェクト情報の取得に際しては、コンテキスト情報取得部２２により取得されたコンテキスト情報を利用してもよい。
【００４３】
次に、前記関心情報生成部２４は、コンテキスト情報取得部２２により取得されたコンテキスト情報と、オブジェクト情報取得部２３により取得されたオブジェクト情報とを互いに関連付けることによりユーザＵの関心情報を生成したあと、関心情報データベース５に記憶せしめる（Ｓ４）。
【００４４】
これにより、ユーザＵが商品またはサービスを撮影するたびに、該ユーザＵが関心を持った商品またはサービスに関するオブジェクト情報が、ユーザＵを取り巻く地理または空間に関するコンテキスト情報に関連付けられた状態で関心情報データベース５に蓄積される。このため、関心情報データベース５を参照することにより、各ユーザＵの関心を精度良く推定することができる。
【００４５】
なお、本実施形態では、商品またはサービスの撮影データからコンテキスト情報およびオブジェクト情報をそのまま取得するものとしたが、撮影データにおいて人物に関する画像が中心である場合には、コンテキスト情報およびオブジェクト情報を取得しないものとしてもよい。例えば、図３に示すように、撮影データの受付部の出力側に人物画像判定部２５を設けて、該人物画像判定部２５がユーザＵの情報端末装置１により撮影された撮影データにおいて人物に関する画像が中心であるか否かを判定する。そして、人物画像判定部２５が撮影データにおいて人物に関する画像が中心であると判定した場合、コンテキスト情報取得部２２とオブジェクト情報取得部２３はコンテキスト情報とオブジェクト情報を取得しない。
【００４６】
＜第２の実施形態＞
次に、本発明に係る情報配信システムの実施形態について図５〜図８を参照しつつ説明する。なお、以下では上記の実施形態と異なる構成についてのみ説明することとし、同一の構成については説明を省略して同一の符号を付すこととする。
【００４７】
[全体構成]
図５は、情報配信システムの全体構成を示す図である。
【００４８】
この情報配信システムは、ユーザＵの情報端末装置１と、ユーザＵの情報端末装置１に広告等の所定の情報を配信する情報配信装置６と、該情報配信装置６に所定の情報を送信するサーバ装置７と、ユーザＵの関心情報を記憶する関心情報データベース５とを備える。
【００４９】
これらユーザＵの情報端末装置１およびサーバ装置７と情報配信装置６とは、インターネット等のネットワークを介して通信可能な状態で接続される。また、情報配信装置６と関心情報データベース５とは、直接的にまたはネットワークを介して通信可能な状態で接続されている。
【００５０】
[情報配信装置６の構成]
前記情報配信装置６は、図６に示すように、情報受付部６１と、該情報受付部６１の一方の出力側に設けられた第２コンテキスト情報取得部６２と、同じく情報受付部６１の他方の出力側に設けられた第２オブジェクト情報取得部６３と、第２コンテキスト情報取得部６２と第２オブジェクト情報取得部６３の出力側に設けられたユーザ選定部６４と、ユーザ選定部６４の出力側に設けられた情報配信部６５とを備える。
【００５１】
前記情報受付部６１は、所定のサーバ装置７からネットワークを介して送信されてきた広告等の所定の情報を受け付ける。この広告等の所定の情報は、広く商品やサービスに関する情報であり、有償または無償を問わず、ユーザＵに有用な様々な情報が対象となる。
【００５２】
前記第２コンテキスト情報取得部６２は、情報受付部６１により受け付けられた所定の情報から、地理または空間に関するコンテキスト情報を取得する。この第２コンテキスト情報取得部６２によるコンテキスト情報の取得については、後の実施例において詳述する。
【００５３】
前記第２オブジェクト情報取得部６３は、情報受付部６１により受け付けられた所定の情報から、商品またはサービスに関するオブジェクト情報を取得する。なお、この第２オブジェクト情報取得部６３によるオブジェクト情報の取得については、後の実施例において詳述する。
【００５４】
前記ユーザ選定部６４は、関心情報データベースを参照することにより、第２コンテキスト情報取得部６２により取得されたコンテキスト情報と、第２オブジェクト情報取得部６３により取得されたオブジェクト情報と全部または一部が一致する関心情報を有するユーザＵを選定する。なお、このユーザ選定部６４によるユーザＵの選定については、後の実施例において詳述する。
【００５５】
前記情報配信部６５は、ユーザ選定部６４により選定されたユーザＵの情報端末装置１に対して、情報受付部６１により受け付けられた所定の情報をネットワークを介して配信する。この情報配信部６５は、所定の情報のみを配信してもよいし、ユーザ選定部６４がユーザＵを選定する際に参照したユーザＵの関心情報を含めた状態で所定の情報を配信してもよい。
【００５６】
[情報配信システムの動作]
次に、ユーザ関心推定システムの動作について、図８に示すフローチャートを参照しつつ説明する。なお、以下の説明において、「ＳＴＥＰ（ステップ）」を「Ｓ」と略記する。
【００５７】
まず、前記情報受付部６１は、所定のサーバ装置７からネットワークを介して送信されてきた広告等の所定の情報を受け付ける（Ｓ１１）。この情報受付部６１による所定の情報の受け付けに際しては、所定のサーバ装置７から撮影データが自動的に送信されてもよいし、あるいは情報配信装置６からの要求により送信されてもよい。
【００５８】
次に、前記第２コンテキスト情報取得部６２は、情報受付部６１により受け付けられた所定の情報から、地理または空間に関するコンテキスト情報を取得する（Ｓ１２）。
【００５９】
一方、前記第２オブジェクト情報取得部６３は、情報受付部６１により受け付けられた所定の情報から、商品またはサービスに関するオブジェクト情報を取得する（Ｓ１３）。
【００６０】
次に、前記ユーザ選定部６４は、関心情報データベースを参照することにより、第２コンテキスト情報取得部６２により取得されたコンテキスト情報と、第２オブジェクト情報取得部６３により取得されたオブジェクト情報と全部または一部が一致する関心情報を有するユーザＵを選定する（Ｓ１４）。
【００６１】
次に、前記情報配信部６５は、ユーザ選定部６４により選定されたユーザＵの情報端末装置１に対して、情報受付部６１により受け付けられた所定の情報をネットワークを介して配信する（Ｓ１５）。この情報配信部６５による所定の情報の配信に際しては、情報受付部６１が所定の情報を受け付けるたびに配信してもよいし、所定の情報に含まれる時間や位置を考慮して適切な時期に配信してもよい。
【００６２】
これによりユーザＵの情報端末装置１は、情報配信装置６から配信されてきた所定の情報を表示することによりユーザＵの閲覧に供せしめることができる。
【００６３】
なお、本実施形態では、ユーザＵの情報端末装置１は、情報端末装置１から配信されてきた複数の所定の情報の全てを表示するものとしたが、複数の所定の情報の中からある所定の情報を優先して表示させてもよい。
【００６４】
例えば、図７に示すように、ユーザＵの情報端末装置１にネットワークを介して通信可能な状態で接続された第３コンテキスト情報取得部８を設ける。この第３コンテキスト情報取得部８は、前記コンテキスト情報データベース３を参照することにより、ユーザＵの情報端末装置１における現在の時間および位置に関連する地理または空間に関するコンテキスト情報を取得する。そして、ユーザＵの情報端末装置１は、情報配信装置６から送信されてきた所定の情報が複数存在する場合、第３コンテキスト情報取得部８により取得されたコンテキスト情報に全部または一部が一致するユーザＵの関心情報が関連付けられた所定の情報を優先して表示する。あるいはまた、ユーザＵの情報端末装置１は、情報配信装置６から送信されてきた所定の情報が複数存在する場合、より多くのユーザＵの関心情報が関連付けられた所定の情報を優先して表示してもよい。なお、これらの場合、情報配信装置６の情報配信部６５は、ユーザ選定部６４がユーザＵを選定する際に参照したユーザＵの関心情報を含めた状態で所定の情報を配信するのが好ましい。
【実施例】
【００６５】
次に、本発明に係るユーザ関心推定システムおよび情報配信システムの実施例について説明する。
【００６６】
[実施例１]
本実施例では、ユーザＵ１の情報端末装置１が撮影したサービス「夏祭り」「カフェ」の撮影データに基づいて、ユーザＵ１がサービス「夏祭り」「カフェ」に関心が強いことを推定して、ユーザＵ１の情報端末装置１に対してサービス「夏祭り」「カフェ」に関する所定の情報を配信する。以下、具体的に説明することとする。
【００６７】
＜サービス「夏祭り」の関心情報の生成＞
まず、ユーザＵ１の情報端末装置１は、撮影機能によりサービス「夏祭り」を撮影すると、内蔵の時計機能やＧＰＳ機能を利用して、下記の撮影時の時間と位置に関する情報Ａを取得して、サービス「夏祭り」の撮影データに下記の撮影時の時間および位置に関する情報Ａを含ませて内蔵の記憶部に記憶する。このサービス「夏祭り」に関する撮影データは、下記の撮影時の時間および位置に関する情報Ａを含んだ状態でネットワークを介して推定装置２に送信される。
【００６８】
（時間および位置に関する情報Ａ）
・時間：2014年7月17日午後6時30分00秒
・位置：35度0分xx秒, 経度 135度45分yy秒
【００６９】
次に、推定装置２において、撮影データ受付部２１が、ユーザＵ１の情報端末装置１からサービス「夏祭り」の撮影データをネットワークを介して受信して受け付ける。このサービス「夏祭り」の撮影データは、上記の撮影時の時間および位置に関する情報Ａが含まれている。
【００７０】
そして、前記コンテキスト情報取得部２２は、コンテキスト情報データベース３（地図データベース及び気象データベース）を参照することにより、撮影データ受付部２１により受け付けられたサービス「夏祭り」の撮影データに含まれる上記の時間および位置に関する情報Ａに関連する地理または空間に関する下記のコンテキスト情報Ａを取得する。
【００７１】
（コンテキスト情報Ａ）
・地名: 四条烏丸
・住所: 京都市下京区四条通烏丸○○
・季節: 夏
・天気: 晴れ
・温度: 30℃
・湿度: 80%
【００７２】
また、前記オブジェクト情報取得部２３は、オブジェクト情報データベース４（イベントデータベース）を参照することにより、撮影データ受付部２１により受け付けられたサービス「夏祭り」の撮影データに含まれる時間および位置に関連する下記のサービス「夏祭り」に関するオブジェクト情報Ａを取得する。
【００７３】
（オブジェクト情報Ａ）
・夏祭り(2014年7月17日午後5時〜午後10時,京都市下京区四条通烏丸○○にて実施)
【００７４】
そして、前記関心情報生成部２４は、コンテキスト情報取得部２２により取得された上記のコンテキスト情報Ａと、オブジェクト情報取得部２３により取得された上記のオブジェクト情報Ａとを互いに関連付けることにより下記のユーザＵ１の関心情報Ａをデータ形式で生成したあと、関心情報データベース５に記憶せしめる。
【００７５】
（関心情報Ａ）
時間:20140717183000, ユーザＵ１ID:0001, 地名:四条烏丸,住所:京都市下京区四条通烏丸○○, 季節:夏, 天気:晴れ, 温度:30℃, 湿度:80%, サービス:夏祭り
【００７６】
＜サービス「カフェ」の関心情報の生成＞
まず、ユーザＵ１の情報端末装置１は、撮影機能によりサービス「カフェ」を撮影すると、内蔵の時計機能やＧＰＳ機能を利用して、下記の撮影時の時間と位置に関する情報Ｂを取得して、サービス「カフェ」の撮影データに下記の撮影時の時間および位置に関する情報Ｂを含ませて内蔵の記憶部に記憶する。このサービス「カフェ」に関する撮影データは、下記の撮影時の時間および位置に関する情報Ｂを含んだ状態でネットワークを介して推定装置２に送信される。
【００７７】
（時間および位置に関する情報Ｂ）
・時間: 2014年10月3日午後6時30分00秒
・位置: 35度0分xx秒, 経度 135度45分yy秒
【００７８】
次に、推定装置２において、撮影データ受付部２１が、ユーザＵ１の情報端末装置１からサービス「カフェ」の撮影データをネットワークを介して受信して受け付ける。このサービス「カフェ」の撮影データは、上記の撮影時の時間および位置に関する情報Ｂが含まれている。
【００７９】
そして、前記コンテキスト情報取得部２２は、コンテキスト情報データベース３（地図データベース及び気象データベース）を参照することにより、撮影データ受付部２１により受け付けられたサービス「カフェ」の撮影データに含まれる上記の時間および位置に関する情報Ｂに関連する地理または空間に関する下記のコンテキスト情報Ｂを取得する。
【００８０】
（コンテキスト情報Ｂ）
・地名: 四条烏丸
・住所: 京都市下京区四条通烏丸○○
・季節: 秋
・天気: 雨
・温度: 20℃
・湿度: 70%
【００８１】
また、前記オブジェクト情報取得部２３は、オブジェクト情報データベース４（イベントデータベース）を参照することにより、撮影データ受付部２１により受け付けられたサービス「カフェ」の撮影データに含まれる時間および位置に関連する下記のサービス「カフェ」に関するオブジェクト情報Ｂを取得する。
【００８２】
（オブジェクト情報Ｂ）
・カフェ (営業時間平日午前11時〜午後8時,京都市下京区四条通烏丸○○)
【００８３】
そして、前記関心情報生成部２４は、コンテキスト情報取得部２２により取得された上記のコンテキスト情報Ｂと、オブジェクト情報取得部２３により取得された上記のオブジェクト情報Ｂとを互いに関連付けることにより下記のユーザＵ１の関心情報Ｂをデータ形式で生成したあと、関心情報データベース５に記憶せしめる。
【００８４】
（関心情報Ｂ）
・時間:20141003183000, ユーザＵ１ID:0001, 地名:四条烏丸,住所:京都市下京区四条通烏丸○○, 季節:秋, 天気:雨, 温度:20℃, 湿度:70%, サービス:カフェ
【００８５】
＜サービス「夏祭り」に関する所定の情報の配信＞
次に、情報配信装置６において、前記情報受付部６１は、所定のサーバ装置７からネットワークを介して送信されてきたサービス「夏祭り」に関する所定の情報を受け付ける。
【００８６】
そして、前記第２コンテキスト情報取得部６２は、情報受付部６１により受け付けられたサービス「夏祭り」に関する所定の情報から、地理または空間に関する下記のコンテキスト情報Ａ’を取得する
【００８７】
（コンテキスト情報Ａ’）
・地名: 四条烏丸
・住所: 京都市下京区四条通烏丸○○
【００８８】
また、前記第２オブジェクト情報取得部６３は、情報受付部６１により受け付けられたサービス「夏祭り」に関する所定の情報から、サービス「夏祭り」に関する下記のオブジェクト情報Ａ’を取得する。
【００８９】
（オブジェクト情報Ａ’）
・夏祭り
【００９０】
前記ユーザ選定部６４は、関心情報データベースを参照することにより、第２コンテキスト情報取得部６２により取得されたコンテキスト情報Ａ’と、第２オブジェクト情報取得部６３により取得されたオブジェクト情報Ａ’と全部または一部が一致する関心情報Ａを有する上記ユーザＵ１を選定する。
【００９１】
前記情報配信部６５は、ユーザ選定部６４により選定された上記ユーザＵ１の情報端末装置１に対して、情報受付部６１により受け付けられたサービス「夏祭り」に関する所定の情報をネットワークを介して配信する。このとき、情報配信部６５は、ユーザ選定部６４がユーザＵ１を選定する際に参照したユーザＵ１の関心情報Ａを関連付けた状態で所定の情報を配信するとよい。
【００９２】
＜サービス「カフェ」に関する所定の情報の配信＞
次に、情報配信装置６において、情報受付部６１は、所定のサーバ装置７からネットワークを介して送信されてきたサービス「カフェ」に関する所定の情報を受け付ける。
【００９３】
そして、前記第２コンテキスト情報取得部６２は、情報受付部６１により受け付けられたサービス「カフェ」に関する所定の情報から、地理または空間に関する下記のコンテキスト情報Ｂ’を取得する
【００９４】
（コンテキスト情報Ｂ’）
・地名: 四条烏丸
・住所: 京都市下京区四条通烏丸○○
【００９５】
また、前記第２オブジェクト情報取得部６３は、情報受付部６１により受け付けられたサービス「カフェ」に関する所定の情報から、サービスに関する下記のオブジェクト情報Ｂ’を取得する。
【００９６】
（オブジェクト情報Ｂ’）
・カフェ
【００９７】
前記ユーザ選定部６４は、関心情報データベースを参照することにより、第２コンテキスト情報取得部６２により取得されたコンテキスト情報Ｂ’と、第２オブジェクト情報取得部６３により取得されたオブジェクト情報Ｂ’と全部または一部が一致する関心情報Ｂを有する上記ユーザＵ１を選定する。
【００９８】
前記情報配信部６５は、ユーザ選定部６４により選定された上記ユーザＵ１の情報端末装置１に対して、情報受付部６１により受け付けられたサービス「カフェ」に関する所定の情報をネットワークを介して配信する。このとき、情報配信部６５は、ユーザ選定部６４がユーザＵ１を選定する際に参照したユーザＵ１の関心情報Ｂを関連付けた状態で所定の情報を配信するとよい。
【００９９】
なお、本実施例では、サービス「夏祭り」とサービス「カフェ」に関する所定の情報をユーザＵの情報端末装置１に個別に配信するものとしたが、同時に配信するものとしてもよい。
【０１００】
なお、本実施例では、ユーザＵの情報端末装置１は、情報端末装置１から配信されてきた複数の所定の情報の全てを表示するものとしたが、複数の所定の情報の中からある所定の情報を優先して表示させてもよい。
【０１０１】
例えば、図７に示すように、第３コンテキスト情報取得部８は、前記コンテキスト情報データベース３を参照することにより、ユーザＵの情報端末装置１における現在の時間および位置に関連する地理または空間に関するコンテキスト情報を取得する。そして、ユーザＵの情報端末装置１は、情報配信装置６から送信されてきた所定の情報がサービス「夏祭り」「カフェ」の２つの場合、第３コンテキスト情報取得部８により取得されたコンテキスト情報が「四条烏丸、季節：夏、天気：晴れ」であれば、該コンテキスト情報と一部が一致するユーザＵ１の関心情報Ａが関連付けられたサービス「夏祭り」に関する所定の情報を優先して表示する。一方、該コンテキスト情報が「四条烏丸、季節：秋、天気：雨」であれば、該コンテキスト情報と一部が一致するユーザＵ１の関連情報Ｂが関連付けられたサービス「カフェ」に関する所定の情報を優先して表示する。
【０１０２】
[実施例２]
本実施例では、ユーザＵ２の情報端末装置１が撮影した商品「アイスクリーム」「書籍」の撮影データに基づいて、ユーザＵ２が商品「アイスクリーム」「書籍」に関心が強いことを推定して、ユーザＵ２の情報端末装置１に対して商品「アイスクリーム」「書籍」に関する所定の情報を配信する。以下、具体的に説明することとする。
【０１０３】
＜商品「アイスクリーム」の関心情報の生成＞
まず、ユーザＵ２の情報端末装置１は、撮影機能により商品「アイスクリーム」を撮影すると、内蔵の時計機能やＧＰＳ機能を利用して、下記の撮影時の時間と位置に関する情報Ｃを取得して、商品「アイスクリーム」の撮影データに下記の撮影時の時間および位置に関する情報Ｃを含ませて内蔵の記憶部に記憶する。この商品「アイスクリーム」に関する撮影データは、下記の撮影時の時間および位置に関する情報Ｃを含んだ状態でネットワークを介して推定装置２に送信される。
【０１０４】
（時間および位置に関する情報Ｃ）
・時間: 2014年 7月 1日午後3時30分00秒
・位置: 35度0分aa秒, 経度 135度45分bb秒
【０１０５】
次に、推定装置２において、撮影データ受付部２１が、ユーザＵ２の情報端末装置１から商品「アイスクリーム」の撮影データをネットワークを介して受信して受け付ける。この商品「アイスクリーム」の撮影データは、上記の撮影時の時間および位置に関する情報Ｃが含まれている。
【０１０６】
そして、前記コンテキスト情報取得部２２は、コンテキスト情報データベース３（地図データベース及び気象データベース）を参照することにより、撮影データ受付部２１により受け付けられた商品「アイスクリーム」の撮影データに含まれる上記の時間および位置に関する情報Ｃに関連する地理または空間に関する下記のコンテキスト情報Ｃを取得する。
【０１０７】
（コンテキスト情報Ｃ）
・地名: 四条河原町
・住所: 京都市下京区真町○○
・季節: 夏
・天気: 晴れ
・温度: 30℃
・湿度: 50%
【０１０８】
また、前記オブジェクト情報取得部２３は、オブジェクト情報データベース４（店舗データベース）を参照することにより、撮影データ受付部２１により受け付けられた商品「アイスクリーム」の撮影データに含まれる時間および位置に関連する下記のサービス・商品「アイスクリーム店[アイスクリーム]」に関するオブジェクト情報Ｃを取得する。
【０１０９】
（オブジェクト情報Ｃ）
・アイスクリーム店[アイスクリーム](営業時間平日午前11時〜午後8時,京都市下京区真町○○)
【０１１０】
そして、前記関心情報生成部２４は、コンテキスト情報取得部２２により取得された上記のコンテキスト情報Ｃと、オブジェクト情報取得部２３により取得された上記のオブジェクト情報Ｃとを互いに関連付けることにより下記のユーザＵ２の関心情報Ｃをデータ形式で生成したあと、関心情報データベース５に記憶せしめる。
【０１１１】
（関心情報Ｃ）
・時間:20140701153000, ユーザＵ２ID:0002, 地名:四条河原町,住所:京都市下京区真町○○, 季節:夏, 天気:晴れ, 温度:30℃, 湿度:50%, 商品:アイスクリーム
【０１１２】
＜商品「書籍」の関心情報の生成＞
まず、ユーザＵ２の情報端末装置１は、撮影機能により商品「書籍」を撮影すると、内蔵の時計機能やＧＰＳ機能を利用して、下記の撮影時の時間と位置に関する情報Ｄを取得して、商品「書籍」の撮影データに下記の撮影時の時間および位置に関する情報Ｄを含ませて内蔵の記憶部に記憶する。この商品「書籍」に関する撮影データは、下記の撮影時の時間および位置に関する情報Ｄを含んだ状態でネットワークを介して推定装置２に送信される。
【０１１３】
（時間および位置に関する情報Ｄ）
・時間: 2014年 6月 20日午後3時30分00秒
・位置: 35度0分cc秒, 経度 135度45分ＣＣ秒
【０１１４】
次に、推定装置２において、撮影データ受付部２１が、ユーザＵ２の情報端末装置１から商品「書籍」の撮影データをネットワークを介して受信して受け付ける。この商品「書籍」の撮影データは、上記の撮影時の時間および位置に関する情報Ｄが含まれている。
【０１１５】
そして、前記コンテキスト情報取得部２２は、コンテキスト情報データベース３（地図データベース及び気象データベース）を参照することにより、撮影データ受付部２１により受け付けられた商品「書籍」の撮影データに含まれる上記の時間および位置に関する情報Ｄに関連する地理または空間に関する下記のコンテキスト情報Ｄを取得する。
【０１１６】
（コンテキスト情報Ｄ）
・地名: 四条河原町
・住所: 京都市下京区四条河原町△△
・季節: 夏
・天気: 雨
・温度: 25℃
・湿度: 80%
【０１１７】
また、前記オブジェクト情報取得部２３は、オブジェクト情報データベース４（店舗データベース）を参照することにより、撮影データ受付部２１により受け付けられた商品「書籍」の撮影データに含まれる時間および位置に関連する下記のサービス・商品「書店[書籍]」に関するオブジェクト情報Ｄを取得する。
【０１１８】
（オブジェクト情報Ｄ）
・書店 [書籍](営業時間平日午前11時〜午後9時, 京都市下京区四条河原町△△)
【０１１９】
そして、前記関心情報生成部２４は、コンテキスト情報取得部２２により取得された上記のコンテキスト情報Ｄと、オブジェクト情報取得部２３により取得された上記のオブジェクト情報Ｄとを互いに関連付けることにより下記のユーザＵ２の関心情報Ｄをデータ形式で生成したあと、関心情報データベース５に記憶せしめる。
【０１２０】
（関心情報Ｄ）
・時間:20140620153000, ユーザＵ２ID:0002, 地名:四条河原町,住所:京都市下京区四条通河原町△△, 季節:夏, 天気:晴れ, 温度:25℃, 湿度:80%, 商品:書籍
【０１２１】
＜商品「アイスクリーム」に関する所定の情報の配信＞
次に、情報配信装置６において、情報受付部６１は、所定のサーバ装置７からネットワークを介して送信されてきた商品「アイスクリーム」に関する所定の情報を受け付ける。
【０１２２】
そして、前記第２コンテキスト情報取得部６２は、情報受付部６１により受け付けられた商品「アイスクリーム」に関する所定の情報から、地理または空間に関する下記のコンテキスト情報Ｃ’を取得する
【０１２３】
（コンテキスト情報Ｃ’）
・地名: 四条河原町
・住所: 京都市下京区真町○○
【０１２４】
また、前記第２オブジェクト情報取得部６３は、情報受付部６１により受け付けられた商品「アイスクリーム」に関する所定の情報から、「アイスクリーム」に関する下記のオブジェクト情報Ｃ’を取得する。
【０１２５】
（オブジェクト情報Ｃ’）
・アイスクリーム
【０１２６】
前記ユーザ選定部６４は、関心情報データベースを参照することにより、第２コンテキスト情報取得部６２により取得されたコンテキスト情報Ｃ’と、第２オブジェクト情報取得部６３により取得されたオブジェクト情報Ｃ’と全部または一部が一致する関心情報Ｃを有する上記ユーザＵ２を選定する。
【０１２７】
前記情報配信部６５は、ユーザ選定部６４により選定された上記ユーザＵ２の情報端末装置１に対して、情報受付部６１により受け付けられた商品「アイスクリーム」に関する所定の情報をネットワークを介して配信する。このとき、情報配信部６５は、ユーザ選定部６４がユーザＵ２を選定する際に参照したユーザＵ２の関心情報Ｃを関連付けた状態で所定の情報を配信するとよい。
【０１２８】
＜商品「書籍」に関する所定の情報の配信＞
次に、情報配信装置６において、情報受付部６１は、所定のサーバ装置７からネットワークを介して送信されてきた商品「書籍」に関する所定の情報を受け付ける。
【０１２９】
そして、前記第２コンテキスト情報取得部６２は、情報受付部６１により受け付けられた商品「書籍」に関する所定の情報から、地理または空間に関する下記のコンテキスト情報Ｄ’を取得する
【０１３０】
（コンテキスト情報Ｄ’）
・地名: 四条河原町
・住所: 京都市下京区四条河原町△△
【０１３１】
また、前記第２オブジェクト情報取得部６３は、情報受付部６１により受け付けられた商品「書籍」に関する所定の情報から、商品に関する下記のオブジェクト情報Ｄ’を取得する。
【０１３２】
（オブジェクト情報Ｄ’）
・書籍
【０１３３】
前記ユーザ選定部６４は、関心情報データベースを参照することにより、第２コンテキスト情報取得部６２により取得されたコンテキスト情報Ｄ’と、第２オブジェクト情報取得部６３により取得されたオブジェクト情報Ｄ’と全部または一部が一致する関心情報Ｄを有する上記ユーザＵ２を選定する。
【０１３４】
前記情報配信部６５は、ユーザ選定部６４により選定された上記ユーザＵ２の情報端末装置１に対して、情報受付部６１により受け付けられた商品「書籍」に関する所定の情報をネットワークを介して配信する。このとき、情報配信部６５は、ユーザ選定部６４がユーザＵ２を選定する際に参照したユーザＵ２の関心情報Ｄを関連付けた状態で所定の情報を配信するとよい。
【０１３５】
なお、本実施例では、ユーザＵの情報端末装置１は、情報端末装置１から配信されてきた複数の所定の情報の全てを表示するものとしたが、複数の所定の情報の中からある所定の情報を優先して表示させてもよい。
【０１３６】
例えば、図７に示すように、第３コンテキスト情報取得部８は、前記コンテキスト情報データベース３を参照することにより、ユーザＵの情報端末装置１における現在の時間および位置に関連する地理または空間に関するコンテキスト情報を取得する。そして、ユーザＵの情報端末装置１は、情報配信装置６から送信されてきた所定の情報が商品「アイスクリーム」「書籍」の２つの場合、第３コンテキスト情報取得部８により取得されたコンテキスト情報が「四条河原町、天気：晴れ、湿度50％」であれば、該コンテキスト情報と一部が一致するユーザＵ２の関心情報Ｃが関連付けられた商品「アイスクリーム」に関する所定の情報を優先して表示する。一方、該コンテキスト情報が「四条河原町、天気：雨、湿度：80％」であれば、該コンテキスト情報と一部が一致するユーザＵ２の関連情報Ｄが関連付けられた商品「書籍」に関する所定の情報を優先して表示する。
【０１３７】
[実施例３]
本実施例では、ユーザＵ３の情報端末装置１が撮影したサービス「レストラン」の撮影データに基づいて、ユーザＵ３がサービス「レストラン」に関心が強いことを推定して、ユーザＵ３の情報端末装置１に対してサービス「レストラン」に関する所定の情報を配信する。以下、具体的に説明することとする。
【０１３８】
＜サービス「レストランＸ」の関心情報の生成＞
まず、ユーザＵ３の情報端末装置１は、撮影機能によりサービス「レストランＸ」の外観・内観・料理を撮影すると、内蔵の時計機能やＧＰＳ機能を利用して、下記の撮影時の時間と位置に関する情報Ｅを取得して、サービス「レストランＸ」の撮影データに下記の撮影時の時間および位置に関する情報Ｅを含ませて内蔵の記憶部に記憶する。このサービスサービス「レストランＸ」に関する撮影データは、下記の撮影時の時間および位置に関する情報Ｅを含んだ状態でネットワークを介して推定装置２に送信される。
【０１３９】
（時間および位置に関する情報Ｅ）
・時間: 2015年2月1日午後3時30分00秒
・位置: 35度0分xx秒, 経度 135度45分yy秒
【０１４０】
次に、推定装置２において、撮影データ受付部２１が、ユーザＵ３の情報端末装置１からサービスサービス「レストランＸ」の撮影データをネットワークを介して受信して受け付ける。このサービスサービス「レストランＸ」の撮影データは、上記の撮影時の時間および位置に関する情報Ｅが含まれている。
【０１４１】
そして、前記コンテキスト情報取得部２２は、コンテキスト情報データベース３（地図データベース及び気象データベース）を参照することにより、撮影データ受付部２１により受け付けられたサービス「レストランＸ」の撮影データに含まれる上記の時間および位置に関する情報Ｅに関連する地理または空間に関する下記のコンテキスト情報Ｅを取得する。
【０１４２】
（コンテキスト情報Ｅ）
・地名: 四条烏丸
・住所: 京都市下京区四条通烏丸○○
・季節: 冬
・天気: 雪
・温度: 0℃
・湿度: 30%
【０１４３】
また、前記オブジェクト情報取得部２３は、オブジェクト情報データベース４（店舗データベース）を参照することにより、撮影データ受付部２１により受け付けられたサービス「レストランＸ」の撮影データに含まれる時間および位置に関連する下記のサービス「レストランＸ」に関するオブジェクト情報Ｅを取得する。
【０１４４】
（オブジェクト情報Ｅ）
・レストランＸ（営業時間土日午前9時〜午後11時,京都市下京区四条通烏丸○○）
【０１４５】
そして、前記関心情報生成部２４は、コンテキスト情報取得部２２により取得された上記のコンテキスト情報Ｅと、オブジェクト情報取得部２３により取得された上記のオブジェクト情報Ｅとを互いに関連付けることにより下記のユーザＵ３の関心情報Ｅをデータ形式で生成したあと、関心情報データベース５に記憶せしめる。このとき、ユーザＵ３がサービス「レストランＸ」の外観・内観・料理を１分後、２分後にも撮影すると、最終的にサービス「レストランＸ」について下記のユーザＵ３の関心情報Ｅが生成される。
【０１４６】
（関心情報Ｅ）
・時間:20150201153000, ユーザＵ３ID:0003, 地名:四条烏丸,住所:京都市下京区四条通○○, 季節:冬, 天気:雪, 温度:0℃, 湿度:30%, サービス:レストラン
・時間:20150201153100, ユーザＵ３ID:0003, 地名:四条烏丸,住所:京都市下京区四条通○○, 季節:冬, 天気:雪, 温度:0℃, 湿度:30%,サービス:レストラン
・時間:20150201153200, ユーザＵ３ID:0003, 地名:四条烏丸,住所:京都市下京区四条通○○, 季節:冬, 天気:雪, 温度:0℃, 湿度:30%,サービス:レストラン
【０１４７】
＜サービス「レストランＹ」の関心情報の生成＞
まず、ユーザＵ３の情報端末装置１は、撮影機能によりサービス「レストランＹ」の外観・内観・料理を撮影すると、内蔵の時計機能やＧＰＳ機能を利用して、下記の撮影時の時間と位置に関する情報Ｆを取得して、サービス「レストランＹ」の撮影データに下記の撮影時の時間および位置に関する情報Ｆを含ませて内蔵の記憶部に記憶する。このサービスサービス「レストランＹ」に関する撮影データは、下記の撮影時の時間および位置に関する情報Ｆを含んだ状態でネットワークを介して推定装置２に送信される。
【０１４８】
（時間および位置に関する情報Ｆ）
・時間: 2014年 12月 1日午後3時30分00秒
・位置: 35度0分cc秒, 経度 135度45分dd秒
【０１４９】
次に、推定装置２において、撮影データ受付部２１が、ユーザＵ３の情報端末装置１からサービス「レストランＹ」の撮影データをネットワークを介して受信して受け付ける。このサービス「レストランＹ」の撮影データは、上記の撮影時の時間および位置に関する情報Ｆが含まれている。
【０１５０】
そして、前記コンテキスト情報取得部２２は、コンテキスト情報データベース３（地図データベース及び気象データベース）を参照することにより、撮影データ受付部２１により受け付けられたサービス「レストランＹ」の撮影データに含まれる上記の時間および位置に関連する地理または空間に関する下記のコンテキスト情報Ｆを取得する。
【０１５１】
（コンテキスト情報Ｆ）
・地名: 四条河原町
・住所: 京都市下京区四条通河原町△△
・季節: 冬
・天気: 晴れ
・温度: 10℃
・湿度: 30%
【０１５２】
また、前記オブジェクト情報取得部２３は、オブジェクト情報データベース４（店舗データベース）を参照することにより、撮影データ受付部２１により受け付けられたサービス「レストランＹ」の撮影データに含まれる時間および位置に関連する下記のサービス「レストランＹ」に関するオブジェクト情報Ｆを取得する。
【０１５３】
（オブジェクト情報Ｆ）
・レストランＹ（営業時間土日午前11時〜午後11時,京都市下京区四条通河原町△△）
【０１５４】
そして、前記関心情報生成部２４は、コンテキスト情報取得部２２により取得された上記のコンテキスト情報Ｆと、オブジェクト情報取得部２３により取得された上記のオブジェクト情報Ｆとを互いに関連付けることにより下記のユーザＵ３の関心情報Ｆをデータ形式で生成したあと、関心情報データベース５に記憶せしめる。
【０１５５】
（関心情報Ｆ）
・時間:20141201153000, ユーザＵ３ID:0003, 地名:四条河原町,住所:京都市下京区四条通河原町△△, 季節:冬, 天気:晴れ, 温度:10℃, 湿度:30%,サービス:レストラン
【０１５６】
＜サービス「レストラン（四条烏丸）」に関する所定の情報の配信＞
次に、情報配信装置６において、情報受付部６１は、所定のサーバ装置７からネットワークを介して送信されてきたサービス「レストラン（四条烏丸）」に関する所定の情報を受け付ける。
【０１５７】
そして、前記第２コンテキスト情報取得部６２は、情報受付部６１により受け付けられたサービス「レストラン（四条烏丸）」に関する所定の情報から、地理または空間に関する下記のコンテキスト情報Ｅ’を取得する。
【０１５８】
（コンテキスト情報Ｅ’）
・地名: 四条烏丸
・住所: 京都市下京区四条通烏丸○○
【０１５９】
また、前記第２オブジェクト情報取得部６３は、情報受付部６１により受け付けられたサービス「レストラン（四条烏丸）」に関する所定の情報から、サービス「レストラン」に関する下記のオブジェクト情報Ｅ’を取得する。
【０１６０】
（オブジェクト情報Ｅ’）
・レストラン
【０１６１】
前記ユーザ選定部６４は、関心情報データベースを参照することにより、第２コンテキスト情報取得部６２により取得されたコンテキスト情報Ｅ’と、第２オブジェクト情報取得部６３により取得されたオブジェクト情報Ｅ’と一部が一致する関心情報Ｅを有する上記ユーザＵ３を選定する。
【０１６２】
前記情報配信部６５は、ユーザ選定部６４により選定された上記ユーザＵ３の情報端末装置１に対して、情報受付部６１により受け付けられたサービス「レストラン（四条烏丸）」に関する所定の情報をネットワークを介して配信する。このとき、情報配信部６５は、ユーザ選定部６４がユーザＵ３を選定する際に参照したユーザＵ３の関心情報Ｅを関連付けた状態で所定の情報を配信するとよい。
【０１６３】
＜サービス「レストラン（四条河原町）」に関する所定の情報の配信＞
次に、情報配信装置６において、情報受付部６１は、所定のサーバ装置７からネットワークを介して送信されてきたサービス「レストラン（四条河原町）」に関する所定の情報を受け付ける。
【０１６４】
そして、前記第２コンテキスト情報取得部６２は、情報受付部６１により受け付けられたサービス「レストラン（四条河原町）」に関する所定の情報から、地理または空間に関する下記のコンテキスト情報Ｆ’を取得する
【０１６５】
（コンテキスト情報Ｆ’）
・地名: 四条河原町
・住所: 京都市下京区四条通河原町△△
【０１６６】
また、前記第２オブジェクト情報取得部６３は、情報受付部６１により受け付けられたサービス「レストラン（四条河原町）」に関する所定の情報から、サービス「レストラン」に関する下記のオブジェクト情報Ｆ’を取得する。
【０１６７】
（オブジェクト情報Ｆ’）
・レストラン
【０１６８】
前記ユーザ選定部６４は、関心情報データベースを参照することにより、第２コンテキスト情報取得部６２により取得されたコンテキスト情報Ｆ’と、第２オブジェクト情報取得部６３により取得されたオブジェクト情報Ｆ’と一部が一致する関心情報Ｆを有する上記ユーザＵ３を選定する。
【０１６９】
前記情報配信部６５は、ユーザ選定部６４により選定された上記ユーザＵ３の情報端末装置１に対して、情報受付部６１により受け付けられたサービス「レストラン（四条河原町）」に関する所定の情報をネットワークを介して配信する。このとき、情報配信部６５は、ユーザ選定部６４がユーザＵ３を選定する際に参照したユーザＵ３の関心情報Ｆを関連付けた状態で所定の情報を配信するとよい。
【０１７０】
なお、本実施例では、ユーザＵの情報端末装置１は、情報端末装置１から配信されてきた複数の所定の情報の全てを表示するものとしたが、複数の所定の情報の中からある所定の情報を優先して表示させてもよい。
【０１７１】
例えば、図７に示すように、第３コンテキスト情報取得部８は、前記コンテキスト情報データベース３を参照することにより、ユーザＵの情報端末装置１における現在の時間および位置に関連する地理または空間に関するコンテキスト情報を取得する。そして、ユーザＵの情報端末装置１は、情報配信装置６から送信されてきた所定の情報が異なるサービス「レストラン（四条烏丸）」「レストラン（四条河原町）」の２つの場合、第３コンテキスト情報取得部８により取得されたコンテキスト情報が「四条烏丸、季節：冬、天気：雪、温度：0℃」であれば、該コンテキスト情報と一部が一致するユーザＵ３の関心情報Ｅが関連付けられたサービス「レストラン（四条烏丸）」に関する所定の情報を優先して表示する。一方、該コンテキスト情報が「四条河原町、季節：冬、天気：晴れ、温度10℃」であれば、該コンテキスト情報と一部が一致するユーザＵ３の関連情報Ｆが関連付けられたサービス「レストラン（四条河原町）」に関する所定の情報を優先して表示する。
【０１７２】
また、ユーザＵ３の情報端末装置１は、情報配信装置６から送信されてきた所定の情報が複数存在する場合、より多くのユーザＵ３の関心情報が関連付けられた所定の情報を優先して表示してもよい。例えば、ユーザＵ３の関心情報Ｅが関連づけられたサービス「レストラン（四条烏丸）」に関する所定の情報と、ユーザＵ３の関心情報Ｆが関連付けられたサービス「レストラン（四条河原町）」に関する所定の情報の２つの場合、ユーザＵ３の関心情報ＥはユーザＵ３の関心情報Ｆよりも多くの関心情報を有するため、当該関心情報Ｅが関連付けられたサービス「レストラン（四条烏丸）」に関する所定の情報を優先して表示する。
【０１７３】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【０１７４】
１・・・ユーザＵの情報端末装置
２・・・推定装置
３・・・コンテキスト情報データベース
４・・・オブジェクト情報データベース
５・・・関心情報データベース
６・・・情報配信装置
７・・・サーバ装置
【図１】
0006309477.tif 000002
【図２】
0006309477.tif 000003
【図３】
0006309477.tif 000004
【図４】
0006309477.tif 000005
【図５】
0006309477.tif 000006
【図６】
0006309477.tif 000007
【図７】
0006309477.tif 000008
【図８】
0006309477.tif 000009